(57)【要約】【課題】動画の編集作業を効率的におこなうことのできる機能を提供する。【解決手段】動画編集装置は、動画データをファイルとして蓄積する蓄積手段を内蔵または外部接続し、蓄積手段の動画データに対してノンリニアな動画編集をおこなう。この動画編集装置は、指定手段、プレイリスト作成手段、未採用シーン再生手段を有する。指定手段は、動画データの編集作業時に採用したいシーンの開始位置（インポイント）と終了位置（アウトポイント）との組を一組乃至複数組指定する。プレイリスト作成手段は、指定されたシーンの開始位置と終了位置との組に基づいて、当該シーンのプレイリストを作成すると同時に、動画データのうち当該シーン以外の未採用シーンのプレイリストを作成する。再生手段は、作成された未採用シーンのプレイリストに基づいて未採用シーンのみを再生する。【選択図】図５
2008098752.tif 000002
【特許請求の範囲】
【請求項１】
動画データをファイルとして蓄積する蓄積手段を内蔵または外部接続し、前記蓄積手段の動画データに対してノンリニアな動画編集をおこなう動画編集装置において、
前記動画データの編集作業時に採用したいシーンの開始位置と終了位置との組を一組乃至複数組指定する指定手段と、
指定された前記シーンの開始位置と終了位置との組に基づいて、当該シーンのプレイリストを作成すると同時に、前記動画データのうち前記シーン以外の未採用シーンのプレイリストを作成するプレイリスト作成手段と、
作成された前記未採用シーンのプレイリストに基づいて前記未採用シーンを再生する未採用シーン再生手段とを備えたことを特徴とする動画編集装置。
【請求項２】
作成された前記未採用シーンのプレイリストに基づき前記未採用シーンを表示画面上で確認視聴する手段をさらに有する請求項１記載の動画編集装置。
【請求項３】
作成された前記未採用シーンのプレイリストに基づき前記未採用シーンのみ編集された動画データを作成する動画作成手段をさらに有する請求項１記載の動画編集装置。
【請求項４】
前記プレイリスト作成手段は、
前記動画データの編集作業開始時に、前記動画データの開始位置に前記未採用シーンの開始位置を設定する第１の設定手段と、
前記シーンの開始位置が指定されたときに、当該シーンの開始位置に前記未採用シーンの終了位置を設定する第２の設定手段と、
前記シーンの終了位置が指定されたときに、当該シーンの終了位置に前記未採用シーンの開始位置を設定する第３の設定手段と、
前記動画データの編集作業終了時に、前記動画データの終了位置に前記未採用シーンの終了位置を設定する第４の設定手段とを有し、
前記第１及び第２の設定手段により設定された前記未採用シーンの開始位置及びその終了位置の第１の組と、前記第３及び第２の設定手段により設定された前記未採用シーンの開始位置及びその終了位置の第２の組と、前記第３及び第４の設定手段により設定された前記未採用シーンの開始位置及びその終了位置の第３の組とに基づいて、前記未採用シーンのプレイリストを作成することを特徴とする請求項１記載の動画編集装置。
【請求項５】
前記プレイリスト作成手段は、前記シーンの開始位置が前記動画データの開始位置と同じときに、前記第１の組の設定をおこなわないと共に、前記シーンの終了位置が前記動画データの終了位置と同じときに、前記第３の組の設定をおこなわないように前記第１乃至第４の設定手段を制御する手段をさらに有することを特徴とする請求項４記載の動画編集装置。
【請求項６】
請求項１乃至５のいずれか１項に記載の動画編集装置を用いたことを特徴とする電子機器。
【発明の詳細な説明】
【技術分野】
【０００１】
本発明は、動画データのノンリニアな編集をおこなうための動画編集装置及びこれを用いた電子機器に関する。
【背景技術】
【０００２】
従来、撮影した動画データを編集する機能を有する装置としては、パーソナルコンピュータ（以下、「パソコン」と略す）や、ＤＶＤ（Digital Versatile Disc）レコーダーや、ビデオカムコーダー等が知られている。これらの編集装置は、装置内部に撮影された動画データを蓄積する手段を持っていることが多い。この編集装置を用いると、ユーザーは装置内部に蓄積された動画データから、不要なシーンまたは必要なシーンを、表示画面に表示される動画ストリーム上で指定しながら編集をおこなうことができる。
【０００３】
このように動画ストリーム上で所望のシーンを指定する方法としては、シーンの開始位置に相当するインポイント（In Point）と、シーンの終了位置に相当するアウトポイント（Out Point）とを組にして指定するものが知られている。その際、指定されたインポイントとアウトポイントとの組に基づいて、一旦抽出されたシーンのプレイリストを作成する。このプレイリストには、抽出されたシーンの開始時間及び終了時間等の情報が記述されている。このプレイリストに基づき、元の動画データを変更することなく、編集後の動画データを再生し、その確認をおこなうことができる。確認を行った後に、実際に動画ストリームの切り貼り処理をおこない、編集後の動画データを作成している。
【０００４】
このような動画データのノンリニア編集をおこなう装置に関する先行技術文献の１つとして、特許文献１には、編集作業の作業性向上のため、シーンとシーンを区切る候補点の前後の区間で再生速度を変えるように制御する情報処理装置が開示されている。
【特許文献１】特開２００６−５４７４６号公報
【発明の開示】
【発明が解決しようとする課題】
【０００５】
しかし、従来の装置では、動画データの確認手段として、不要なシーンの削除された動画データを確認する手段しか用意されていない。そのため、編集作業で削除したシーンの中に本当は必要であるシーンが入っていないことを確認するためには、編集前の動画データと編集後の動画データ両方を確認する必要がある。そのため、編集作業時における確認作業には非常に手間と時間がかかってしまっている。
【０００６】
また、個人で映画の撮影した際、ＮＧシーンや上映時間の制約などでカットされたシーンなどを集めた映像特典集を作成する場合がある。この場合、元の動画データから編集後に削除されたシーンのみ抽出する編集作業が必要となり、やはり非常に手間と時間のかかる作業を強いられることになる。
【０００７】
上述した特許文献１は、上記のような事情を特に考慮してなされたものではない。
【０００８】
本発明は、上記の事情に鑑みて提案されるものであり、動画の編集作業を効率的におこなうことのできる機能を提供することを目的とする。
【課題を解決するための手段】
【０００９】
上記課題を解決するために本発明は、動画データをファイルとして蓄積する蓄積手段を内蔵または外部接続し、前記蓄積手段の動画データに対してノンリニアな動画編集をおこなう動画編集装置において、前記動画データの編集作業時に採用したいシーンの開始位置と終了位置との組を一組乃至複数組指定する指定手段と、指定された前記シーンの開始位置と終了位置との組に基づいて、当該シーンのプレイリストを作成すると同時に、前記動画データのうち前記シーン以外の未採用シーンのプレイリストを作成するプレイリスト作成手段と、作成された前記未採用シーンのプレイリストに基づいて前記未採用シーンを再生する未採用シーン再生手段とを備えたことを特徴とする。
【００１０】
本発明において、作成された前記未採用シーンのプレイリストに基づき前記未採用シーンを表示画面上で確認視聴する手段をさらに有してもよい。また、作成された前記未採用シーンのプレイリストに基づき前記未採用シーンのみ編集された動画データを作成する動画作成手段をさらに有してもよい。
【００１１】
本発明において、前記プレイリスト作成手段は、前記動画データの編集作業開始時に、前記動画データの開始位置に前記未採用シーンの開始位置を設定する第１の設定手段と、前記シーンの開始位置が指定されたときに、当該シーンの開始位置に前記未採用シーンの終了位置を設定する第２の設定手段と、前記シーンの終了位置が指定されたときに、当該シーンの終了位置に前記未採用シーンの開始位置を設定する第３の設定手段と、前記動画データの編集作業終了時に、前記動画データの終了位置に前記未採用シーンの終了位置を設定する第４の設定手段とを有し、前記第１及び第２の設定手段により設定された前記未採用シーンの開始位置及びその終了位置の第１の組と、前記第３及び第２の設定手段により設定された前記未採用シーンの開始位置及びその終了位置の第２の組と、前記第３及び第４の設定手段により設定された前記未採用シーンの開始位置及びその終了位置の第３の組とに基づいて、前記未採用シーンのプレイリストを作成してもよい。
【００１２】
前記プレイリスト作成手段は、前記シーンの開始位置が前記動画データの開始位置と同じときに、前記第１の組の設定をおこなわないと共に、前記シーンの終了位置が前記動画データの終了位置と同じときに、前記第３の組の設定をおこなわないように前記第１乃至第４の設定手段を制御する手段をさらに有してもよい。
【００１３】
本発明に係る電子機器は、上記いずれかの動画編集装置を用いたことを特徴とする。
【発明の効果】
【００１４】
本発明によれば、所望のシーンが収録されたプレイリストを作成すると同時に編集後に未採用になるシーンのプレイリストを作成するため、未採用シーンの確認作業をおこなうことができる。これにより、未採用シーン内にある必要なシーンの編集抜けを防ぐことができるので、編集処理作業を効率的におこなうことができる。
【発明を実施するための最良の形態】
【００１５】
以下、本発明に係る動画編集装置及びこれを用いた電子機器を実施するための最良の形態について、図面を参照して説明する。
【００１６】
本実施の形態は、動画データをファイルとして蓄積する手段を内蔵または外部接続できるノンリニアな動画編集装置に適用したものである。この動画編集装置において、ユーザーが編集作業時にインポイントとアウトポイントの組を一組乃至複数組指定することにより、所望のシーンが収録されたプレイリストが作成されると同時に未採用シーンのプレイリストも作成される。こうすることで、未採用シーンの確認作業をおこなうことができる。
【００１７】
以下、図１〜図１０を参照して、本発明の実施例について説明する。
【実施例】
【００１８】
図１に示す本実施例の動画編集装置は、例えばパソコン（ＰＣ）、ＤＶＤレコーダー、ビデオカムコーダー等の電子機器に搭載されるものである。具体的には、機能上の各部として、蓄積部１０、処理部２０、表示部３０、及び操作部４０を有している。これら各部１０〜４０は、装置内に一体的に構成されてもよく、それぞれ独立した個別の装置として装備されてもよい。
【００１９】
蓄積部１０は、例えばＨＤＤ（ハードディスク駆動装置）や光ディスク駆動装置等の記録装置で構成され、本実施例では、編集対象の動画データをファイルとして蓄積する。この蓄積部１０は、装置内に内蔵されるものでも、別体の装置として外部接続されるものでも、いずれでもよく、要は編集対象の動画データを供給可能なものであれば適用可能である。外部接続の場合、その接続形態は有線でも無線でもいずれでもよい。
【００２０】
処理部２０は、例えばプログラム制御で動作するＣＰＵ（Central Processing Unit）２１と、予め設定されたソフトウェア２３を格納するメモリ部２２とを有する。ソフトウェア２３には、例えばオペレーティングシステム（ＯＳ）やそのＯＳ上で動作するアプリケーションソフトウェア（非図示）等が含まれる。このソフトウェア２３には、本実施例では、図２に示すように、動画データのノンリニア編集用の動画編集ソフトウェア２４が含まれる。ＣＰＵ２１は、その動画編集ソフトウェア２４の命令を実行することにより、装置内の各部動作を制御して、動画データのノンリニア編集に関する各種処理をおこなう。
【００２１】
動画編集ソフトウェア２４には、既知の各種機能に加え、本実施例では、図２に示すように、機能上、第１のプレイリスト再生部２５、第２のプレイリスト再生部２６、及び動画作成部２７が含まれる。これら各部２５〜２７の機能は、本発明のプレイリスト作成手段、未採用シーン再生手段、及び動画作成手段を含む各手段を構成し、処理部２０のＣＰＵ２１によるプログラム制御により実現される。
【００２２】
第１のプレイリスト再生部２５は、動画データの編集時に採用したいシーンのインポイント及びアウトポイントに基づいて採用シーンプレイリスト２５ａ（後述の図６参照）を作成し、その情報に基づき採用シーンを再生する機能を有する。
【００２３】
第２のプレイリスト再生部２６は、動画データの編集時に採用されたシーン以外の未採用シーンに関する未採用シーンプレイリスト２６ａ（後述の図７参照）を作成し、その情報に基づき未採用シーンを再生する機能を有する。
【００２４】
動画作成部２７は、表示部３０の画面上に、シーン確認・動画作成画面２７ａ（後述の図９参照）を表示し、ユーザからの指示に従い、上記２つのプレイリスト再生部２５、２６と連携して、採用したいシーンとそれ以外の未採用シーンとを再生する。そして、この動作作成部２７は、元の動画データを切り貼り処理して、最終的に採用したいシーンのみを集めた編集後の動画データを作成する機能を有する。
【００２５】
表示部３０は、ＣＲＴ（Cathode Ray Tube）、液晶ディスプレイ、有機エレクトロルミネッセンス（ＥＬ）ディスプレイ等の表示装置で構成され、ＣＰＵ２１の制御の元で、動画を含む各種情報を表示する。この表示部３０は、装置内に内蔵されるものでも、別体の装置として外部接続されるものでも、いずれでもよい。
【００２６】
操作部４０は、ユーザにより操作され、その操作に応じた指令（コマンド）を処理部２０のＣＰＵ２１に供給する。この操作部４０は、ユーザが操作可能なものであれば、いずれでも適用可能である。例えば、ＰＣに搭載される場合は、キーボードやポインティングデバイス（マウス等）等の操作器が用いられる。また、ビデオカムコーダーに搭載される場合は、例えば本体に装備される各種キー、ボタン、スイッチ等の操作器が用いられる。さらに、ＤＶＤレコーダーに搭載される場合は、例えば本体に装備される操作器と、本体とは独立したリモートコントローラ（リモコン）とが用いられる。
【００２７】
次に、図３〜図１０を参照して、本実施例の動作について説明する。
【００２８】
最初に、比較のため、図１２及び図１３を参照して、従来の一般的な編集前の動画ストリームと、編集時に作成されるプレイリストによる再生部分との間の関係について説明する。
【００２９】
図１２は、従来の一般的な編集前の動画ストリームとプレイリストによる再生部分との相関図である。同図において、ＳＴは、編集前の動画ストリームである。Ｐ１、Ｐ３は編集時に採用されるシーンのインポイントで、Ｐ２、Ｐ４はアウトポイントである。通常、インポイントＰ１とアウトポイントＰ２、インポイントＰ３とアウトポイントＰ４は、ユーザーにより、装置に付随もしくは接続されている表示画面上で、ストリームＳＴの任意の箇所に設定される。また、インポイントＰ１とアウトポイントＰ２、インポイントＰ３とアウトポイントＰ４は、それぞれ組で設定される必要がある。
【００３０】
ＳＣ１は、１組のインポイントＰ１とアウトポイントＰ２が設定されることにより作成されるプレイリストの情報（後述の図１２参照）に基づき、再生される再生部分である。また、ＳＣ２は、インポイントＰ３とアウトポイントＰ４が設定されることにより作成されるプレイリストの情報（後述の図１２参照）に基づき、再生される再生部分である。インポイントとアウトポイントの組の設定により作成されるプレイリストの情報には、抽出されたシーンの開始時間と終了時間などの情報が記述されている。
【００３１】
図１３は、従来の一般的なプレイリストの構造例を示す。一般的に、プレイリストには、編集時に設定された複数のインポイントとアウトポイントの再生順序が登録されている。ここで、図１２を例にとり、ストリームＳＴを「Stream 1」と仮に命名する。
【００３２】
図１３のプレイリストでは、図１１におけるStream 1のインポイントＰ１とアウトポイントＰ２が設定された再生部分が１番目に再生され、Stream 1のインポイントＰ３とアウトポイントＰ４が設定された再生部分が２番目に再生される。なお、図１２のプレイリストには、他のストリームのインポイントとアウトポイントが設定された再生部分も登録することができる。編集後の動画確認をおこなう場合、作成されたプレイリストの情報を基に動画ストリームＳＴを再生することにより、ストリームＳＴのデータを直接変更することなく編集後に採用されるシーンの動画確認をおこなうことができる。
【００３３】
なお、上記に示すような一般的な動画編集処理について、既知の動画編集ソフトウェアによる処理にて実現されているものであるため、その詳細については説明を省略する。
【００３４】
これに、本実施例による編集前の動画ストリームと、編集時に作成される２つのプレイリスト２５ａ、２６ａによる再生部分との間の関係について説明する。
【００３５】
図３は、本実施例による編集前の動画ストリームと、上記２つのプレイリスト２５ａ、２６ａによる再生部分の相関図である。同図において、ＳＴは、編集前の動画ストリームである。Ｐ１１、Ｐ１３は、編集時に採用されるシーンのインポイントで、Ｐ１２、Ｐ１４はアウトポイントである。インポイントＰ１１、Ｐ１３、アウトポイントＰ１２、Ｐ１４は、ユーザーによる操作部４０の操作により、本実施例の動画編集装置に付随もしくは接続されている表示部３０の表示画面上で、ストリームＳＴ２の任意の箇所に設定される。インポイントＰ１１とアウトポイントＰ１２、インポイントＰ１３とアウトポイントＰ１４は、それぞれ組で設定される必要がある。
【００３６】
ＳＣ１１は、インポイントＰ１１とアウトポイントＰ１２の組が設定されることにより作成される採用シーンプレイリスト２５ａの情報（後述の図６参照）に基づき、再生される再生部である。ＳＣ１２は、インポイントＰ１３とアウトポイントＰ１４の組が設定されることにより作成される採用シーンプレイリスト２５ａの情報（後述の図６参照）に基づき、再生される再生部分である。
【００３７】
ＳＣ２１、ＳＣ２２、ＳＣ２３は、ＳＣ１１、ＳＣ１２が設定されることによって編集後に未採用になるシーンで、本発明の主目的である未採用シーンプレイリスト２６ａの情報（後述の図７参照）に基づき、再生される再生部分である。
【００３８】
ここで、図４〜図７を参照して、図３に示す未採用シーンの再生部分ＳＣ２１、ＳＣ２２、ＳＣ２３が作成される手順を説明する。
【００３９】
図４は、処理部２０によるプレイリスト作成に関する動作を説明するフローチャートである。図４に示すフローチャートに応じたプログラムは、第１のプレイリスト再生部２５及び第２のプレイリスト再生部２６に対応し、ＣＰＵ２１により実行される。
【００４０】
図４において、まず、処理部２０は、ユーザーによる編集作業に際し、ＣＰＵ２１の処理により操作部４０からの操作指令に応じて動画編集ソフトウェア２４を起動して実行する。これ以後、ＣＰＵ２１による動画編集ソフトウェア２４の処理により、蓄積部１０から編集対象の動画データ（以下、動画ストリーム）ＳＴを取り込み、表示部３０の画面上に動画ストリームＳＴ及びその動画編集に関する必要な情報を表示する。
【００４１】
これにより、ユーザーは、表示部３０の画面上の動画ストリームＳＴを確認しながら、操作部４０を用いて、編集作業を開始する。そうすると、処理部２０は、その編集作業開始をトリガとして（ステップＳｔ１：ＹＥＳ）、図５に示すように、編集前の動画ストリームＳＴの開始位置に未採用シーン用のインポイントＰ２１を作成する。そして、そのインポイントＰ２１の情報を未採用シーンプレイリスト２６ａに設定する（ステップＳｔ２）。
【００４２】
次いで、ユーザーの操作により、動画ストリームＳＴ上にインポイントＰ１１が指定されると（ステップＳｔ３：ＹＥＳ）、処理部２０は、そのインポイントＰ１１の情報を採用シーンプレイリスト２５ａに設定する。これと同時に、図５に示すように、インポイントＰ１１の設定位置に未採用シーン用のアウトポイントＰ２２を作成し、その情報を未採用シーンプレイリスト２６ａに設定する（ステップＳｔ４）。
【００４３】
次いで、ユーザーの操作により、動画ストリームＳＴ上にアウトポイントＰ１２が設定されると（ステップＳｔ５：ＹＥＳ）、処理部２０は、そのアウトポイントＰ１２の情報を採用シーンプレイリスト２５ａに設定する。これと同時に、図５に示すように、アウトポイントＰ１２の設定位置に未採用シーン用のインポイントＰ２３を作成し、その情報を未採用シーンプレイリスト２６ａに設定する（ステップＳｔ６）。
【００４４】
上記ステップＳｔ３〜Ｓｔ６の処理は、編集作業が終了するまで繰り返し実行される。図３の例では、この時点では編集作業が終了せずに（ステップＳｔ７：ＮＯ）、ステップＳｔ３の処理に戻る。そして、ユーザーの操作により、動画ストリームＳＴ上にインポイントＰ１３が指定されると（ステップＳｔ３：ＹＥＳ）、処理部２０は、そのインポイントＰ１３の情報を採用シーンプレイリスト２５ａに設定する。これと同時に、図５に示すように、インポイントＰ１３の設定位置に未採用シーン用のアウトポイントＰ２４を作成し、その情報を未採用シーンプレイリスト２６ａに設定する（ステップＳｔ４）。
【００４５】
引き続き、ユーザーの操作により、動画ストリームＳＴ上にアウトポイントＰ１４が指定されると（ステップＳｔ５：ＹＥＳ）、処理部２０は、そのアウトポイントＰ１４の情報を採用シーンプレイリスト２５ａに設定する。これと同時に、図５に示すように、アウトポイントＰ１４の設定位置に未採用シーン用のインポイントＰ２５を作成し、その情報を未採用シーンプレイリスト２６ａに設定する（ステップＳｔ６）。
【００４６】
図３の例では、この時点でユーザーの編集作業が終了する。処理部２０は、その編集作業終了をトリガとして（ステップＳｔ７：ＹＥＳ）、図５に示すように、編集前の動画ストリームＳＴの終了位置に未採用シーン用のアウトポイントＰ２６を作成する。そして、その情報を未採用シーンプレイリスト２６ａに設定する（ステップＳｔ８）。
【００４７】
以上の処理により、図５の例から判るように、インポイント及びアウトポイントとして、Ｐ１１とＰ１２、Ｐ１３とＰ１４が組になり、採用シーンプレイリスト２５ａにより再生される再生部分ＳＣ１１、ＳＣ１２が作成される。これと同時に、Ｐ２１とＰ２２（第１の組）、Ｐ２３とＰ２４（第２の組）、Ｐ２５とＰ２６（第３の組）が組になり、未採用シーンプレイリスト２６ａにより再生される再生部分ＳＣ２１、ＳＣ２２、ＳＣ２３が作成される。
【００４８】
なお、図４に示す処理の例外処理として、ユーザーが編集時にインポイントＰ１１を編集前の動画ストリームＳＴの開始位置に設定したときは、インポイントＰ２１とアウトポイントＰ２２（第１の組）の設定はおこなわれない。また、ユーザーが編集時にアウトポイントＰ１４を編集前の動画ストリームＳＴの終了位置に設定した場合は、インポイントＰ２５とアウトポイントＰ２６（第３の組）の設定はおこなわれない。
【００４９】
図６及び図７は、以上の処理により作成された採用シーンプレイリスト２５ａ及び未採用シーンプレイリスト２６ａを示す。図中のストリーム名は、図１３と同様に仮に「Stream 1」と命名している。図６の採用シーンプレイリスト２５ａは、図１３と同様のものであるが、図７の未採用シーンプレイリスト２６ａは、図１３とは相違している。なお、採用シーンプレイリスト２５ａの作成は、ＣＰＵ２１による第１のプレイリスト再生部２５の処理により実行される。また、未採用シーンプレイリスト２６ａの作成は、ＣＰＵ２１による第２のプレイリスト再生部２６の処理により実行される。
【００５０】
次に、図８〜図１０を参照して、上記で作成された採用シーンプレイリスト２５ａ及び未採用シーンプレイリスト２６ａを用いた動画作成処理について説明する。
【００５１】
図８は、処理部２０によるシーン確認・動画作成に関する動作を説明するフローチャートである。図８に示すフローチャートに応じたプログラムは、動画作成部２７に対応し、ＣＰＵ２１により実行される。
【００５２】
図８において、まず、処理部２０は、ＣＰＵ２１による動画作成部２７の処理を通じて、表示部３０の画面上にシーン確認・動画作成画面２７ａを表示する（ステップＳｔ１１）。図９は、このシーン確認・動画作成画面２７ａの一例を示す。同図に示すように、この画面２７ａ上には、編集後に採用されるシーンを確認するための「採用シーン確認」ボタン２４２と、編集後に未採用になるシーンを確認するための「未採用シーン確認」ボタン２４３と、編集された動画データの作成を開始するための「作成開始」ボタン２４４とが設定されている。また、「採用シーン確認」ボタン２４２または「未採用シーン確認」ボタン２４３で選択したシーンの表示をおこなう画面２４１も設定されている。さらに、シーン確認・動画作成画面２７ａの表示を終了するための「戻る」ボタン２４５も設定されている。
【００５３】
次いで、ユーザーの操作により、このシーン確認・動画作成画面２７ａ上のボタンが押下されると（ステップＳｔ１２：ＹＥＳ）、処理部２０は、そのボタンの種類に応じた処理を実行する。
【００５４】
図８の例では「採用シーン確認」、ボタン２４１が選択された場合（ステップＳｔ１２：ＹＥＳ）、処理部２０は、図６に示す採用シーンプレイリスト２６ａに基づき、図５に示す採用シーンの再生部分ＳＣ１１、ＳＣ１２を画面２４上に再生し、画面２４１上に表示する（ステップＳｔ１３）。図１０は、このＳＣ１１、ＳＣ１２の再生順序を示す。
【００５５】
また、「未採用シーン確認」ボタン２４２が選択された場合（ステップＳｔ１５：ＹＥＳ）、処理部２０は、図５に示す未採用シーンの再生部分ＳＣ２１、ＳＣ２２、ＳＣ２３を再生し、画面２４１上に表示する（ステップＳｔ１６）。図１０は、このＳＣ２１、ＳＣ２２、ＳＣ２３の再生順序を示す。
【００５６】
また、「作成開始」ボタン２４２が選択された場合（ステップＳｔ１７：ＹＥＳ）、処理部２０は、編集時の設定に従い、元の動画データから最終的に採用されたシーンの切り貼り処理を行い、編集後の動画データを作成する（ステップＳｔ１８）。そして、「戻る」ボタン２４２が選択された場合（ステップＳｔ１９：ＹＥＳ）、処理部２０は、シーン確認・動画作成画面２７ａの表示を終了する。
【００５７】
このように未採用シーンの確認をおこなうことで、未採用シーン内にある必要なシーンの抜けを防ぐことができる。確認の結果、未採用シーンに必要なシーンが含まれていた場合には、編集画面で修正作業をおこなえばよい。そして、採用シーンまたは未採用シーンの確認が終了したら、「作成開始」ボタン２４４を選択することにより、編集時の設定に準じた動画データが新たに作成される。
【００５８】
従って、本実施例によれば、所望のシーンが収録された採用シーンプレイリストを作成すると同時に編集後に未採用になるシーンが収録された未採用シーンプレイリストを作成することにより、未採用シーンの確認作業をおこなうことができる。これにより、未採用シーン内にある必要なシーンの編集抜けを防ぐことができ、その結果、編集処理作業を効率的におこなうことができる。
（変形例）
なお、上記実施例においては、編集後に採用されるシーンの動画作成のみ説明しているが、その変形例として、未採用シーンのみを集めた動画を作成することもできる。
【００５９】
図１１は、本変形例のシーン確認・動画作成をおこなうための画面の一例である。
【００６０】
図１１に示すシーン確認・動画作成画面２７ａには、図９と同様の選択シーン表示用の画面２４１、「採用シーン確認」ボタン２４２、「未採用シーン確認」ボタン２４３、「戻る」ボタン２４５が設定されている。これに加え、編集後に採用されるシーンの動画データ作成を開始するための「採用シーン作成開始」ボタン２４４ａと、編集後に不採用になるシーンの動画データ作成を開始するための「未採用シーン作成開始」ボタン２４４ｂとが設けられている。
【００６１】
本変形例の特徴は、「未採用シーン作成開始」ボタン２４４ｂを選択した場合に、元の画像データから未採用シーンのみを切り貼り処理して集めた動画データを作成する点にある。本変形例によると、このように未採用シーンを集めた動画データを作成することにより、ＮＧシーンや未公開映像など特典映像を集めた動画データを作成することができる。
【産業上の利用可能性】
【００６２】
本発明は、パーソナルコンピュータ、ＤＶＤレコーダー、ビデオカムコーダー等の装置に搭載可能な動画編集装置の用途に適用できる。
【図面の簡単な説明】
【００６３】
【図１】本発明の実施例に係る動画編集装置の全体構成を示す概略ブロック図である。
【図２】実施例におけるソフトウェアの要部構成を示す図である。
【図３】実施例における編集前の動画ストリームとプレイリストによる再生部分との相関を説明する図である。
【図４】実施例におけるプレイリスト作成に関する動作を説明する概略フローチャートである。
【図５】実施例における処理動作を説明する図である。
【図６】実施例における採用シーンプレイリストの構造例を示す図である。
【図７】実施例における未採用シーンプレイリストの構造例を示す図である。
【図８】実施例におけるシーン確認・動画作成に関する動作を説明する概略フローチャートである。
【図９】実施例における動画編集後のシーンを確認及び作成する画面を示す図である。
【図１０】採用シーンプレイリストによる再生部分と、未採用シーンプレイリストによる再生部分とを説明する図である。
【図１１】変形例における動画編集後のシーンを確認及び作成する画面を示す図である。
【図１２】従来の一般的な編集前の動画ストリームとプレイリストによる再生部分との相関を説明する図である。
【図１３】従来の一般的なプレイリストの構造例を示す図である。
【符号の説明】
【００６４】
１０  蓄積部
２０  処理部
２１  ＣＰＵ
２２  メモリ部
２３  ソフトウェア
２４  動画編集ソフトウェア
２５  第１のプレイリスト再生部
２５ａ  採用シーンプレイリスト
２６  第２のプレイリスト再生部
２６ａ  未採用シーンプレイリスト
２７  動画作成部
２７ａ  シーン確認・動画作成画面
３０  表示部
４０  操作部
【図１】
2008098752.tif 000003
【図２】
2008098752.tif 000004
【図３】
2008098752.tif 000005
【図４】
2008098752.tif 000006
【図５】
2008098752.tif 000007
【図６】
2008098752.tif 000008
【図７】
2008098752.tif 000009
【図８】
2008098752.tif 000010
【図９】
2008098752.tif 000011
【図１０】
2008098752.tif 000012
【図１１】
2008098752.tif 000013
【図１２】
2008098752.tif 000014
【図１３】
2008098752.tif 000015